(57)【要約】      （修正有） 【課題】粘質の装着感の良さと、硬質の安定性とを整合して耳介に固定する構造の電気音響製品の安定装置であって、かつ使用上便利な電気音響製品の安定装置を提供する。【解決手段】音声発生装置１と、該音声発生装置の一方の側に回動自在に設けられて、該音声発生装置の角度の調整に供する角度調整部材２と、該角度調整部材の一方の側に位置を限定して形成される硬質固定部２１と、該角度調整部材の該音声発生装置から離れた側の一端に接続し、使用者の耳介の軟骨の輪郭に応じて自在に変形して固定を行う可撓性支持部材３と、を具える。【選択図】図３
0003211781.tif 000002
【実用新案登録請求の範囲】
【請求項１】
音声発生装置と、
該音声発生装置の一方の側に回動自在に設けられて、該音声発生装置の角度の調整に供する角度調整部材と、
該角度調整部材の一方の側に位置を限定して形成される硬質固定部と、
該角度調整部材の該音声発生装置から離れた側の一端に接続し、使用者の耳介の軟骨の輪郭に応じて自在に変形して固定を行う可撓性支持部材と、を具えることを特徴とする電気音響製品の安定装置。
【請求項２】
前記音声発生装置が耳栓座と、該耳栓座の一方の側の連結部と、該連結部の該耳栓座から離れた側に設ける電子デバイスとを含み、
該角度調整部材が該連結部に着脱自在に嵌合して支持する嵌合部を含み、
該連結部が、該嵌合部の位置が上下にずれることを防ぎ、かつ少なくとも１以上の滑り止め部が形成されたストッパー部を含むこと特徴とする請求項１に記載の電気音響製品の安定装置。
【請求項３】
前記可撓性支持部材の内部に、該可撓性支持部材の形状変化能力を高める中空部を形成することを特徴とする請求項１に記載の電気音響製品の安定装置。
【請求項４】
前記硬質固定部の一方の側には、該耳栓座の外周縁部が係合して支持する切り欠き状の位置決め部を形成すること特徴とする請求項２に記載の電気音響製品の安定装置。
【請求項５】
前記硬質固定部の一端には嵌挿部を少なくとも１以上形成し、該可撓性支持部材の一端には該嵌挿部に係合する少なくとも１以上の係合部を形成し、該嵌挿部は少なくとも１以上の係合溝を含み、該係合部は、該係合溝に係合する少なくとも１以上のストッパーリブを含むこと特徴とする請求項１に記載の電気音響製品の安定装置。
【請求項６】
前記音声発生装置が、イヤホンか、補聴器か、又はリアルタイム翻訳機の内の一つであること特徴とする請求項１に記載の電気音響製品の安定装置。
【考案の詳細な説明】
【技術分野】
【０００１】
この考案は電気音響製品の安定装置に関し、特に軟質耳栓の装着感の良さと硬質耳掛け用フックの安定性を兼ね備え、かつ角度の調整を行うことのできる電気音響製品安定装置置に関する。
【背景技術】
【０００２】
イヤホンの使用率は高い。耳栓式のイヤホンの使い心地の良さに対する要求はますます高くなっている。このため、業者はイヤホンの耳掛け用フックを軟質の樹脂材に変更して、耳介の耳介軟骨上に固定するようにした。然しながら、係る軟質の樹脂材による耳掛け用フックは、耳介の耳介軟骨上に固定した場合、比較的不快感を覚えないものの、従来のプラスチック材による耳掛け用フックに比して固定強度が明らかに不足する。而も軟質の樹脂材と雖も、人それぞれに耳介軟骨の輪郭が若干異なるため、すべてのユーザーに対して一律確実に適用できるとは限らない。
【０００３】
上述する耳栓式イヤホンを使用する場合、次に掲げる問題、欠点が確かに存在し改善が望まれる。
１、 耳栓の材質が形状変化の能力を有しない。よって、それぞれの使用者の耳介の形状に対応することができない。
２、 軟質の耳栓は固定強度が不足するが、硬質の耳栓は皮膚の発炎を容易に招く。
３、 軟質の樹脂材による耳掛け用フックはサイズに制限があり、かつ付け換えて使用することができない。
【０００４】
したがって、上述する従来のイヤホンに係る問題、欠点を如何にして改善するかが、考案者と当業者の研究開発の目指すところである。
【考案の概要】
【考案が解決しようとする課題】
【０００５】
この考案は、粘質の装着感の良さと、硬質の安定性とを整合して耳介に固定する構造の電気音響製品の安定装置であって、かつ使用上便利な電気音響製品の安定装置を提供することを課題とする。
【課題を解決するための手段】
【０００６】
そこで、上述する課題を解決するために、本考案の電気音響製品の安定装置は音声発生装置と、該音声発生装置の一方の側に回動自在に設けられて、該音声発生装置の角度の調整に供する角度調整部材と、該角度調整部材の一方の側に位置を限定して形成される硬質固定部と、該角度調整部材の該音声発生装置から離れた側の一端に接続し、使用者の耳介の軟骨の輪郭に応じて自在に変形して固定を行う可撓性支持部材と、を具える。
【０００７】
上述する構成の電気音響製品の安定装置は、該可撓性支持部材が適宜に形状変化して使用者の耳介の軟骨の形状に合わせて固定され、耳介に密接し、角度を調整する角度調整部材が該音声発生装置に連結する。該可撓性支持部材が接触する位置は好ましい着装感が得られ、さらに該硬質固定部が音声発生装置の固定を強化し、音声発生装置の耳介への着装の安定性が高まる。軟質、硬質の連結による固定、支持方式によって音声発生装置を着装する安定性が増し、かつ回転させて角度を調整する機能を提供する。
【図面の簡単な説明】
【０００８】
【図１】この考案による電気音響製品の安定装置を示した斜視図である。
【図２】この考案による電気音響製品の安定装置を分解した状態を示した説明図である。
【図３】この考案による電気音響製品の組み立ての動作を示した説明図である。
【図４】この考案による電気音響製品の使用態様を示した説明図である。
【図５】この考案による電気音響製品の使用態様を示した他の説明図である。
【図６】この考案における可撓性支持部材の交換の動作を示した説明図である。
【図７】他の実施の形態による電気音響製品の使用態様を示した説明図である。
【考案を実施するための形態】
【０００９】
図１から図３に開示するように、この考案は音声発生装置１と、角度調整部材２と、硬質固定部２１と、可撓性支持部材３とを含んでなる。
【００１０】
音声発生装置１は、耳栓座１１と、耳栓座１１の一方の側に設ける連結部１２と、連結部１２の耳栓座１１から離れた側に設ける電子デバイス１３とを含むとともに、連結部１２は後述する嵌合部２２がずれることを防ぐためのストッパー部１２１を具える。
【００１１】
角度調整部材２は、音声発生装置１の一方の側に回動自在に設けられて音声発生装置１の角度の調整に供する。角度調整部材２の長手方向の一方の側には連結部１２に着脱自在に嵌合する嵌合部２２と、嵌合部２２の一端の内側に形成される滑り止め部２２１とを具え、長手方向の他方の側には位置を限定して硬質固定部２１を形成する。硬質固定部２１の短手方向の一方の側には耳栓座１１の外周縁部が係合する位置決め部２１１を形成する。また、硬質固定部２１の一端には嵌挿部２３を少なくとも１以上形成する。嵌挿部２３は少なくとも１以上の係合溝２３１を含む。
【００１２】
可撓性支持部材３は、角度調整部材２の音声発生装置１から離れた側の一端に接続し、使用者の耳介の軟骨の輪郭に応じて自在に変形して固定を行う。可撓性支持部材３の一端には少なくとも１以上の係合部３１を形成する。係合部３１は、係合溝２３１に係合する少なくとも１以上のストッパーリブ３１１を含む。
【００１３】
また、可撓性支持部材３には、内部に可撓性支持部材３の形状変化能力を高める中空部３２を形成する。
【００１４】
図１から図６に開示するように、この考案における音声発生装置１の基本構造は、外耳道入り口に挿入して密閉する耳栓座１１を具え、耳栓座１１の一方の側には柱状を呈し、角度調整部材２の連結に供する連結部１２を介して電子デバイス１３を設ける（音声発生装置１がイヤホンであれば、電子デバイス１３はマイクロフォンであって、音声発生装置１が補聴器であれば、電子デバイスは音声を集める装置である。また、音声発生装置１がリアルタイム翻訳機であれば、電子デバイス１３は音声を集める装置と翻訳装置である）。
【００１５】
角度調整部材２は、嵌合部２２によって連結部１２に支持する（連結方式は、着脱自在にＣ字状の嵌合部か、又は環状の嵌合部を嵌合する、凹凸の係合部を係合するなどの方式が挙げられるが、但し、これらに限定しない）とともに、ストッパー部１２１を設けることによって嵌合部２２の位置が上下にずれることを防ぐ。また、滑り止め部２２１を形成することによって嵌合部２２連結する位置が固定する。さらに、硬質固定部２１の一方の側には、耳栓座１１の外周縁部が係合して支持する切り欠き状の位置決め部２１１を形成する。
【００１６】
実際に操作する場合、使用者は音声発生装置１を手に持ち、耳栓座１１を外耳道入り口に挿入し、同時に可撓性支持部材３を耳介の内側に置く。また、可撓性支持部材３の形状変化の特性を利用し、かつ使用者の耳介の耳介軟骨の輪郭に合わせて可撓性支持部材３の湾曲度を自由に調整する。可撓性支持部材３の内部には、半月状、又はハニカム状などのフレーム状の中空部３２が形成されるため、極めて好ましい形状変化能力を具える。
【００１７】
可撓性支持部材３を暫時位置決めした後、角度調整部材２を利用して音声発生装置１を回転させ、可撓性支持部材３を相対的に回転させる。よって、使用者が可撓性支持部材３を調整して耳介の内側に接触させるために便利であって、耳介に固定した場合の装着感の良さを大幅に高めることができる。また、硬質固定部２１によって音声発生装置１と可撓性支持部材３との相対的な位置関係を安定させる。このため使用者の動作によって音声発生装置１が外れて落ちることを防ぐ。
【００１８】
また、可撓性支持部材３は適宜な形状に変化するが、但し、人と人の個体の差異を全てカバーすることは難しい。このため可撓性支持部材３のサイズの問題が発生する。即ち、如何に調整しようと最適の固定は得られないことになる。この問題に対し、この考案においてはＣ字状の形状をした嵌合部２２を用いることで音声発生装置１を固定する。而も取り外しに便利という効果も得られる。可撓性支持部材３は、係合部３１を硬質固定部２１の嵌挿入部２３に嵌挿する以外に、ストッパーリブ３１１が係合溝２３１に係合し、かつ可撓性支持部材３の材質自身が摩擦力を有することで、内外から同時に硬質固定部２１を固定する。したがって、連結の強度と取り外しの便利さとを兼ね備える。このため、使用者に異なるサイズの可撓性支持部材３を提供するだけで、上述する問題を解決できる。
【００１９】
図７に他の実施の形態を開示する。図面の開示から明らかなように、この実施の形態は、上述した実施の形態とほぼ同様であるが、音声発生装置１ａが補聴器であって、電子デバイス１３ａは音声を集める装置と拡声器（リアルタイム翻訳機などの電子音響製品であってもよい）であり、同様に角度調整部材２ａと可撓性支持部材３ａを利用して、硬質と軟質を兼ね備えた固定の効果を達成する。
【符号の説明】
【００２０】
１、１ａ      音声発生装置
１１          耳栓座
１２          連結部
１２１        ストッパー部
１３、１３ａ  電子デバイス
２、２ａ      角度調整部材
２１          硬質固定部
２１１        位置決め部
２２          嵌合部
２２１        滑り止め部
２３          嵌挿部
２３１        係合溝
３、３ａ      可撓性支持部材
３１          係合部
３１１        ストッパーリブ
３２          中空部
【図１】
0003211781.tif 000003
【図２】
0003211781.tif 000004
【図３】
0003211781.tif 000005
【図４】
0003211781.tif 000006
【図５】
0003211781.tif 000007
【図６】
0003211781.tif 000008
【図７】
0003211781.tif 000009